【手続補正書】
【提出日】平成18年1月13日(2006.1.13)
【手続補正１】
【補正対象書類名】明細書
【補正対象項目名】全文
【補正方法】変更
【補正の内容】
【書類名】  明細書
【発明の名称】  電気掃除機用吸込具並びに電気掃除機
【特許請求の範囲】
【請求項１】  下面に吸込口を開口させた吸込具本体と、前記吸込口に臨んで回転自在に設けられた回転ブラシと、前記回転ブラシを回転駆動する電動機とを備え、前記吸込具本体の後部には、前記吸込口に連通する吸込通路を有する連結管を配設しているものであって、前記吸込具本体には前記連結管を挟んで第一の収納室と第二の収納室が配設されていて、前記連結管の吸込通路を形成する壁体の外側をカバー体で覆って収容空間を形成し、この収容空間を介して第一および第二の収納室内の部品を導電線で電気的接続する構成としたことを特徴とする電気掃除機用吸込具。
【請求項２】  下面に吸込口を開口させた吸込具本体と、前記吸込口に臨んで回転自在に設けられた回転ブラシと、前記回転ブラシ内に配し、それを回転駆動する電動機を備え、前記吸込具本体の後部には、前記吸込口に連通する吸込通路を有する連結管を配設しているものであって、前記吸込具本体には前記連結管を挟んで第一の収納室と第二の収納室が配設されていて、前記連結管の吸込通路を形成する壁体の外側をカバー体で覆って収容空間を形成し、この収容空間を介して第一および第二の収納室内の部品を導電線で電気的接続する構成としたことを特徴とする電気掃除機用吸込具。
【請求項３】  連結管を吸込具本体に対し上下方向に回動可能に配設した請求項１または２記載の電気掃除機用吸込具。
【請求項４】  連結管の後部に周方向に回動自在な回動管を連結し、前記回動管の吸込通路を形成する壁体の外側をカバー体で覆って導電線の収容空間を形成した請求項３記載の電気掃除機用吸込具。
【請求項５】  収容空間内に導電線のたるみ部を設けた請求項１〜４のいずれか１項に記載の電気掃除機用吸込具。
【請求項６】  第一の収納室および第二の収納室の少なくともどちらか一方に導電線のたるみ部を設けた請求項１〜５のいずれか１項記載の電気掃除機用吸込具。
【請求項７】  収容空間内に導電線を保持する保持部を設けた請求項１〜６のいずれか１項に記載の電気掃除機用吸込具。
【請求項８】  連結管の吸込通路を形成する壁体であって回動管との連結部より前方の位置に導電線を保持する保持部を形成した請求項４記載の電気掃除機用吸込具。
【請求項９】  連結管もしくは回動管の接続部には電気接続部を設け、この電気接続部と導電線とを電気接続した請求項１〜８のいずれか１項記載の電気掃除機用吸込具。
【請求項１０】  内部に塵埃を集塵する集塵室と電動送風機を備えた電気掃除機本体に、請求項１〜９のいずれか１項に記載の電気掃除機用吸込具と連通するように接続される接続口を備えた電気掃除機。
【請求項１１】  内部に塵埃を集塵する集塵室と電動送風機を有する電気掃除機本体と、この電気掃除機本体の接続口に一端が接続され、他端に延長管を接続するホースと、延長管の反ホース側端面部に接続部を接続する請求項９記載の電気掃除機用吸込具を備え、前記ホースおよび延長管には前記掃除機本体側と電気接続する導電線を設けるとともに、延長管の吸込具の接続部には前記吸込具の電気接続部と電気接続する電気接続部を設け、この延長管の電気接続部に延長管の導電線を電気接続した電気掃除機。
【発明の詳細な説明】
【０００１】
【発明の属する技術分野】
本発明は、吸込具本体内の連結管を挟んで位置する電子部品収納室および作動室を有する電気掃除機用吸込具並びにこの電気掃除機用吸込具を用いた電気掃除機に関するものである。
【０００２】
【従来の技術】
従来、この種の電気掃除機用吸込具は、図６ないし図７に示すように構成していた。以下、その構成について説明する。
【０００３】
図に示すように、吸込具本体１に電動機２により駆動される回転ブラシ３を内蔵した電気掃除機用吸込具が知られている。そして、この種の電気掃除機用吸込具では、下ケース４および上ケース５からなる吸込具本体１内に、仕切壁６ａ、６ｂ、７、８により、下方に開口し回転ブラシ３を内蔵した吸込室９と、これに連通する吸込通路１０と、電動機２を内蔵した作動室１１と、プリント回路基板１２を内蔵した電子部品収納室１３とを区画形成している。また、吸込具本体１の後部に、吸込通路１０の入口部に位置させて連結管１４を上下回動自在に支持するとともに、吸込通路１０は連結管１４内と連通している。
【０００４】
また、吸込室９と吸込通路１０との連通部には、下ケース４側で吸込通路１０の両側の仕切壁７，８から上方へ立ち上がって吸込通路１０を横断する架橋部１５を設け、この架橋部１５の上方に形成され上方へ開口するとともに左右方向へ抜ける凹溝１６に、電子部品収納室１３から作動室１１へのリード線１７を這わせた構造になっている。また、組立後には、凹溝１６の開口部が上ケース５に形成された閉塞部１８により閉塞される構造になっている。
【０００５】
【発明が解決しょうとする課題】
このような従来の構成では、吸込室９と吸込通路１０との連通部において図７に矢印で示すようにやや上向きに吸込風が流れることにより、連通部の上側に大きく突出した架橋部１５が、ちょうど最も強い風の流れの先に位置することになるため、風路抵抗を増大させるとともに、乱流による騒音や風切音などの騒音が大きくなるという問題がある。
【０００６】
本発明は上記従来の課題を解決するもので、吸込室と吸込通路との連通部に突出した架橋部を構成することなく、連結管内の吸込通路を形成する壁体の外側空間を有効利用して、電子部品収納室から作動室への導電線の組み付けを行い、乱流や風切音などの騒音を低減し、静音化することを目的としている。
【０００７】
【課題を解決するための手段】
本発明は上記目的を達成するために、下面に吸込口を開口させた吸込具本体と、前記吸込口に臨んで回転自在に設けられた回転ブラシと、前記回転ブラシを回転駆動する電動機とを備え、前記吸込具本体の後部には、前記吸込口に連通する吸込通路を有する連結管を配設しているものであって、前記吸込具本体には前記連結管を挟んで第一の収納室と第二の収納室が配設されていて、前記連結管の吸込通路を形成する壁体の外側をカバー体で覆って収容空間を形成し、この収容空間を介して第一および第二の収納室内の部品を導電線で電気的接続するように構成した電気掃除機用吸込具である。
【０００８】
これにより、吸込室と吸込通路との連通部に突出した架橋部を設けずとも、収容室間を介して連結管の両側の各収納室を電気的に接続することができ、乱流による騒音や風切音などの騒音を低減し、静音化することができる。
【０００９】
【発明の実施の形態】
本発明の請求項１に記載の発明は、下面に吸込口を開口させた吸込具本体と、前記吸込口に臨んで回転自在に設けられた回転ブラシと、前記回転ブラシを回転駆動する電動機とを備え、前記吸込具本体の後部には、前記吸込口に連通する吸込通路を有する連結管を配設しているものであって、前記吸込具本体には前記連結体を挟んで第一の収納室と第二の収納室が配設されていて、前記連結管の吸込通路を形成する壁体の外側をカバー体で覆って収容空間を形成し、この収容空間を介して第一および第二の収納室内の部品を導電線で電気的接続する構成としたことを特徴とする電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１０】
請求項２記載の発明は、下面に吸込口を開口させた吸込具本体と、前記吸込口に臨んで回転自在に設けられた回転ブラシと、前記回転ブラシ内に配し、それを回転駆動する電動機を備え、前記吸込具本体の後部には、前記吸込口に連通する吸込通路を有する連結管を配設しているものであって、前記吸込具本体には前記連結管を挟んで第一の収納室と第二の収納室が配設されていて、前記連結管の吸込通路を形成する壁体の外側をカバー体で覆って収容空間を形成し、この収容空間を介して第一および第二の収納室内の部品を導電線で電気的接続する構成としたことを特徴とする電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。また、回転ブラシ内に電動機を内蔵することにより、電動機を吸込具本体の回転ブラシ以外の位置に配設する必要がなく、吸込具本体の小型が実現できる。回転ブラシ内に電動機を内蔵させるものでは、電動機の外径により回転ブラシの外径が決定されるので、電動機を小型化すれば回転ブラシの外径も小さくできる。一方、回転ブラシを十分なトルクで駆動しようとすると、電動機の外径を小さくするのには限界があり、トルクをかせぎだすために電動機の回転を減速装置で減速するようにしてもやはり電動機の外径を小さくするのに限界があり、したがって、回転ブラシの外径が通常の回転ブラシ（回転ブラシ内に電動機を内蔵していない）より大きくなり、そのため、吸込具本体の大きさを抑える上では、回転ブラシを収容する吸込室と吸込通路との連通部を絞り込む必要がある。このような絞り込みを連通部に設けるものでは、連通部に突出した架橋部を設けると乱流がより発生し、騒音を発生するものであるが、連結管の吸込通路を形成する壁体の外側をカバー体で覆って収容空間を形成することで、上記の問題も解消できる。
【００１１】
請求項３に記載の発明は、上記請求項１または２に記載の発明において、連結管を吸込具本体に対し上下方向に回動可能に配設したもの、すなわち、連結管を吸込具本体に回動自在に取り付ける構成であっても、導線で第一および第二の収納室内の部品を電気的接続できる。
【００１２】
請求項４に記載の発明は、上記請求項３に記載の発明において、連結管の後部に周方向に回動自在な回動管を連結し、前記回動管の吸込通路を形成する壁体の外側をカバー体で覆って導電線の収容空間を形成した電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１３】
請求項５に記載の発明は、上記請求項１〜４のいずれか１項に記載の発明において、収容空間内に導電線のたるみ部を設けた電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１４】
請求項６に記載の発明は、上記請求項１〜５のいずれか１項に記載の発明において、第一の収納室および第二の収納室の少なくともどちらか一方に導電線のたるみ部を設けた電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１５】
請求項７に記載の発明は、上記請求項１〜６のいずれか１項に記載の発明において、収容空間内に導電線を保持する保持部を設けた電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１６】
請求項８に記載の発明は、上記請求項４に記載の発明において、連結管の吸込通路を形成する壁体であって回動管との連結部より前方の位置に導電線を保持する保持部を形成した電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１７】
請求項９に記載の発明は、上記請求項１〜８のいずれか１項に記載の発明において、連結管もしくは回動管に設けた接続部には電気接続部を設け、この電気接続部と導電線とを電気接続した電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００１８】
請求項１０に記載の発明は、内部に塵埃を集塵する集塵室と電動送風機を備えた電気掃除機本体に、請求項１〜９のいずれか１項に記載の電気掃除機用吸込具と連通するように接続される接続口を備えた電気掃除機であり、吸込風により発生する乱流による騒音や風切音などの騒音を低減して、電気掃除機の騒音を低減することができ、静音化することができる。
【００１９】
請求項１１に記載の発明は、内部に塵埃を集塵する集塵室と電動送風機を有する電気掃除機本体と、この電気掃除機本体の接続口に一端が接続され、他端に延長管を接続するホースと、延長管の反ホース側端面部に接続部を接続する請求項９記載の電気掃除機用吸込具を備え、前記ホースおよび延長管には前記掃除機本体側と電気接続する導電線を設けるとともに、延長管の吸込具の接続部には前記吸込具の電気接続部と電気接続する電気接続部を設け、この延長管の電気接続部に延長管の導電線を電気接続した電気掃除機であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【００２０】
【実施例】
以下、本発明の一実施例について、図面を参照しながら説明する。
【００２１】
図５に示すように、吸込具本体１９は絨毯などの被掃除面に付着した塵埃を遊離させる回転ブラシ２０（図３参照）を内蔵し、後部に延長管２１と接続される連結管２２を上下方向に回動自在に設けている。掃除機本体２３は、内部に塵埃を集塵する集塵室２４と電動送風機２５を備えており、この掃除機本体２３に設けた接続口２６に、延長管２１に接続したホース２７を接続し、吸込具本体１９の連結管２２を接続口２６に連通するように構成している。
【００２２】
図１〜４に示すように、吸込具本体１９の構成は上面を開口した下ケース２８と、この下ケース２８の上側に結合され下面を開口した上ケース２９とからなっている。そして吸込具本体１９内には、下ケース２８および上ケース２９にそれぞれ形成された仕切壁３０〜３３により、回転ブラシ２０を収容する吸込室３４とそれにつながる連通部３５と、作動室３６および電子部品収納室３７とが各々区画形成されている。また、吸込室３４は、吸込具本体１９の前部に位置していて横長に配設され下面部には吸込口３８を形成している。さらに、連通部３５は、吸込具本体１９の後部でその左右方向ほぼ中央部に位置して設けられている。また、電子部品収納室３７は、連通部３５の左右方向の一側方に隣接して位置しており、作動室３６は、電子部品収納室３７とは反対側に位置して連通部３５に隣接している。つまり、連通部３５に連通する連結管２２を挟んで電子部品収納室３７と作動室３６とが配設されている。
【００２３】
一方、連結管２２は、連通部３５内に前部が位置する状態で下ケース２８および上ケース２９により上下方向へ所定範囲回動自在に挟持されている。すなわち、連結管２２の前部の左右両側面に突出形成された支軸３９が、連通部３５の左右両側の側壁である仕切壁３０，３３に枢着されていて、連結管２２の内部は連通部３５より連続して吸込通路４０が後方へ形成されている。また、４１は屈曲した回動管で、前部が連結管２２の後部に円周方向へ回動自在に嵌合接続されている。また、回動管４１には管カバー４２が外周面の上側に取り付けられている。
【００２４】
また、回転ブラシ２０は、吸込具本体１９の下面に設けた吸込口３８に臨むように回転自在に配されており、また、その外形を構成する略筒状のブラシホルダー４３の外周面には塵埃掻き上げ部を構成する複数のブラシ４４を設けている。なお、塵埃掻き上げ部は、ブラシ４４の他に、薄板状のブレード、拭き効果のある帯状体（例えば、布製の帯状体）などであってもよい。
【００２５】
このブラシホルダー４３の内部に、図２に示すように、回転ブラシ２０を回転駆動する電動機４５、電動機４５の回転数を減速する減速装置４６、減速装置４６の出力をブラシホルダー４３に伝達するギヤー４７ａなどを内蔵している。減速装置４６と一体に連結して構成した電動機４５は中空軸を有する支持部４８に固定している。この支持部４８の中空軸は、内径を１３ｍｍとして冷却風をスムーズに導入できるように構成している。この支持部４８の中空軸は軸受部４９の内輪で支持し、軸受け部４９の外輪はブラシホルダー４３の端部に固定したキャップＡ５０により支持している。
【００２６】
ギヤー４７ａは、ブラシホルダー４３の軸方向における略中央部の内面部に形成したギヤー部４７ｂと噛み合って連結させている。ギヤー部４７ｂの外側に冷却風の通路孔５２を設けており、この通路孔５２は、中空軸から電動機４５および減速装置４６の外側を通る冷却風通路５３に連通するとともに、ブラシホルダー４３の外周面に設けた通気孔５４に連通している。ブラシホルダー４３の他方の端部は、軸５５を一体形成したキャップＢ５６が固定され軸受部材５７により吸込具本体１９へ回転自在に支持されている。
【００２７】
さらに、電子部品収納室３７内には、プリント回路基板５８が配設されている。プリント回路基板５８には、電動機４５に過電流が流れることを防ぐ正特性サーミスタなどで構成した過電流防止装置が設けられている。
【００２８】
一方、作動室３６には、図４に示すように、吸込具本体１９を空中に持ち上げた時には、回転ブラシ２０を回転駆動する電動機４５への電源を遮断して回転ブラシ２０の回転を停止させる安全装置が構成されている。すなわち、被掃除面を検知する検知レバー５９が支持軸５９ａを支点として回転自在に設けられ、検知レバー５９のローラー５９ｂが被掃除面側に接触するとバネ６０の付勢力に逆らって矢印Ａ方向に回動する。すると、検知レバー５９の支持軸５９ａと一体に形成された移動体受部６１が矢印Ｂ方向に回動し、この移動体受部６１に保持された球状の移動体６２もその方向に移動しスイッチ６３をオンさせる。吸込具本体１９を持ち上げるとローラー５９ｂが被掃除面から離れ、矢印Ｂ方向にバネ６０の付勢力で回動し、スイッチ６３はオフする。このスイッチ６３のオン・オフにより電動機４５のオン・オフを行っている。
【００２９】
つぎに、電気配線構造について説明する。図１〜３に示すように、回動管４１の先端部つまり延長管２１の反ホース２７側端部と接続する接続部には、端子ピン６４が突設されていて、掃除機本体２３からの電源と接続される。具体的には延長管２１およびホース２７内に導電線を設けておき、掃除機本体２３からの電源を供給するようにしている。端子ピン６４は延長管２１の端部に設けた電気接続部に電気接続され、延長管の導電線と電気接続される。この端子ピン６４に電気接続される端子ピン６４は吸込具の電気接続部であり、端子ピン６４のような突出形状でなくてもよく、延長管の電気接続部が端子ピンであればそれを挿入して接触する接触片であってもよく、要は延長管２１と吸込具本体１９との接続時に電気的接続可能な構成であればよい。
【００３０】
リード線Ａ６５は、管カバー４２と連結管２２内部の吸込通路４０を形成する壁体との間に構成される収容空間に配され、詳しくは吸込通路４０の壁体の外側上面に添わせて連結管２２の支軸３９近くの開口より導出し、仕切壁３０を貫通して電子部品収納室３７内に導入される。そして、リード線Ａ６５の他端はプリント回路基板５８に接続される。一方のリード線Ｂ６６は、リード線Ａ６５と同じく連結管２２の吸込通路４０の壁体と管カバー４２とで形成される収容室を通り連結管２２内部に導かれて、連結管２２内の吸込通路４０を連結管２２の他方の支軸３９近くの開口より導出し仕切壁３３を貫通して作動室３６内に導入され他端はスイッチ６３に接続される。
【００３１】
また、電子部品収納室３７内のプリント回路基板５８からリード線Ｃ６７が仕切壁３０を貫通して連結管２２の支軸３９近くの開口より吸込通路４０の壁体と管カバー４２より前方に設けた保護カバー６８とにより形成される収容空間に導入され連結管２２の他方の開口より仕切壁３３を貫通して作動室３６内に導入され他端はスイッチ６３に接続されている。
【００３２】
連結管２２内の吸込通路４０を形成する壁体の外方には保護カバー６８が形成されていて、リード線Ａ６５、リード線Ｂ６６、リード線Ｃ６７は吸込具本体１９の外方からの衝撃、傷つけなどから保護している。また、連結管２２内の吸込通路４０を形成する壁体と保護カバー６８の間には、保持部の一種である規制リブ６９が設けられており、配線されたリード線Ｂ６６、あるいはリード線Ｃ６７が回動管４１の端部が当接して傷つきが発生するのを防止するために保持固定している。さらに、リード線Ｂ６６、あるいはリード線Ｃ６７には、連結管２２が上下方向に回動した際また回動管４１が回動した際に、引張力、切断力などの応力が加わる事がないように、連結管２２の上下方向の回動寸法より大なるように設定した、たるみ部を吸込通路４０の壁体と保護カバー６８および管カバー４２で形成される収容空間に設ける、あるいは、電子部品収納室３７あるいは作動室３６の少なくともどちらか一方に設けている。
【００３３】
電動機４５への配線は、電子部品収納室３７内のプリント回路基板５８からリード線Ｄ７０が仕切壁３０内を通って、回転ブラシ２０の端部に構成された中空軸４８の内部に導かれて、電動機４５に設けた制御基板７１に接続されている。なお、制御基板７１には商用電源を整流する整流器、雑音防止器などが実装されている。
【００３４】
上記構成において動作、作用を説明する。
【００３５】
最初に、組立方法の概略を説明する。まず、下ケ−ス２８内の所定の各位置に、下ケ−ス２８の上面開口を介して、連通管２２、回転ブラシ２０、プリント回路基板５８、検知レバー５９、移動体受部６１、移動体６２、スイッチ６３などの各部品を上方から組み付ける。これとともに、同様に下ケース２８の下面開口を介して、リード線Ａ６５、リード線Ｂ６６、リード線Ｃ６７、リード線Ｄ７０の配線を行う。
【００３６】
その際、特に電子部品収納室３７内のプリント回路基板５８と作動室３６内のスイッチ６３とを接続するリード線Ｃ６７は、仕切壁３０を貫通して連結管２２の吸込通路４０を形成する壁体の外部上面に沿わせて連結管２２の他方の支軸３９近くの開口より仕切壁３３を貫通し、リード線Ｃ６７は、連結管２２の吸込通路４０を形成する壁体と保護壁６８の間に設けた規制リブ６９により、保持される。
【００３７】
次に、スイッチ６３に接続されているリード線Ｂ６６について述べる。リード線Ｂ６６の端部には端子ピン６４が設けられ、端子ピン６４は回動管４１の先端部に突設されるように設けられており、掃除機本体２３からの電源と接続される。それからリード線Ｂ６６は、連結管２２の吸込通路４０を形成する壁体の外側上面に沿わせて連結管２２の支軸３９近くの開口より仕切壁３３を貫通して作動室３６内に導入され、他端はスイッチ６３に接続され、配線される。一方のリード線Ａ６５は、リード線Ｂ６６と同じく連結管２２内部に導かれて、連結管２２の吸込通路４０を形成する壁体の外側上面に沿わせて連結管２２の他方の支軸３９近くの開口より仕切壁３０を貫通して電子部品収納室３７内に導入される。そして、リード線Ａ６５の他端はプリント回路基板５８に接続される。この状態で、リード線Ａ６５、リード線Ｂ６６が通っている回動管４１の面が管カバー４２により覆われる。次に下ケース２８の上に上ケース２９を結合してネジなどにより固定する。
【００３８】
このように、各リード線を配設する際に、連結管２２および回動管４１、管カバー４２の内部で配線の処理がされるために吸込室３４と吸込通路４０との連通部３５に突出した架橋部を無くすことができ、連通部３５を上ケース２９および下ケース２８の内壁面によって構成することが出来るため、吸込通路４０を滑らかに接続することが出来るので、掃除機本体２３により発生した吸引風は、架橋部などの凸部が無くなった連通部３５を通過することで吸込室３４から吸込通路４０を整流されて通過するために、乱流の発生を低減して風切り音が減少して騒音を下げるために低騒音化をすることができる。
【００３９】
また、連結管２２は上ケース２９および下ケース２８により上下方向へ所定範囲の回動自在になっており、また回動管４１も連結管２２の周方向に所定範囲で回動自在になっておりリード線Ａ６５、リード線Ｂ６６、およびリード線Ｃ６７に設けた、たるみ部により各リード線に回動時に働く引張力、切断力が加わることがないようになっている。なお、回動管４１を設けないものの場合には、リード線Ａ６５、リード線Ｂ６６に設けた、たるみ部のたるみ量を少なくできる。
【００４０】
なお、本実施例では第一の収納室を電子部品収納室３７とし、第二の収納室を作動室３６とした例を示したが、例えば第二の収納室に従来のように電動機を設けて回転ブラシをベルト駆動する様にしたものであってもよく、要は第一の収容室と第二の収容室に導電線を介して電気接続を行う必要性のある部品を各々配したものであれば適用できる。連結管２２を挟んで第一および第二の収納室を設けているのは、吸込具本体に部品を収納する場合に左右のバランス等を考慮する必要性があるためであり、例えば吸込具本体を持ち上げた場合等に左右のいずれかに吸込具本体が傾き、掃除作業性を低下させないようにするためのものである。
【００４１】
【発明の効果】
本発明の電気掃除機用吸込具によれば、下面に吸込口を開口させた吸込口本体と、前記吸込具本体に臨んで回転自在に設けた回転ブラシと、前記回転ブラシを回転駆動する電動機とを備え、前記吸込具本体の後部には、前記吸込口に連通する吸込通路を有する連結管が、前記吸込具本体に対して上下方向に回動可能に配設されているものであって、前記吸込具本体には前記連結体を挟んで第一の収納室と第二の収納室が配設されていて、前記連結管の吸込通路を形成する壁体の外側をカバー体で覆って収容空間を形成し、この収容空間を介して第一および第二の収納室内の部品を導電線で電気的接続する構成としたことを特徴とする電気掃除機用吸込具であり、吸込室と吸込通路との連通部に突出した架橋部を設けずとも、収容空間を介して連結管の両側の各収納室を電気的に接続することができ、乱流による騒音や風切音などの騒音を低減し、静音化することができる。
【図面の簡単な説明】
【図１】
本発明の実施例を示す電気掃除機用吸込具の要部分解斜視図
【図２】
同電気掃除機用吸込具の上ケースを外した平面図
【図３】
同電気掃除機用吸込具の一部破断側面図
【図４】
同電気掃除機用吸込具の作動室の断面図
【図５】
同電気掃除機の全体斜視図
【図６】
従来の電気掃除機用吸込具の要部斜視図
【図７】
同電気掃除機用吸込具の中央縦断面図
【符号の説明】
１９  吸込具本体
２０  回転ブラシ
２２  連結管
３６  作動室（第二の収納室）
３７  電子部品収納室（第一の収納室）
４１  回動管
４２  管カバー（カバー体）
４５  電動機
６４  端子ピン（電気接続部）
６５  リード線Ａ（導電線）
６６  リード線Ｂ（導電線）
６７  リード線Ｃ（導電線）
６８  保護カバー（カバー体）
６９  規制リブ（保持部）
【手続補正２】
【補正対象書類名】図面
【補正対象項目名】図２
【補正方法】変更
【補正の内容】
【図２】
2000354568.tif 000001